(57)【要約】【課題】杭に引き抜き力が作用したときに杭が逆回転しにくい回転式杭を提供する。【解決手段】棒状の杭本体６の周面部７に螺旋突条９が捩じれ状態で突設されており、杭上端３３を打圧することによって回転させて土中に埋入させることのできる回転式杭である。土中に埋入状態にある杭本体６の逆回転を阻止するために、螺旋突条９の傾斜上面１０としての螺旋突条傾斜面１２に、土に引っ掛かる凸部１３からなる凹凸部１６が形成されている。凹凸部１６は、螺旋突条傾斜面１２に、該螺旋突条傾斜面１２からの突出高さが異なり且つ土に引っ掛かる凸部１３が分散状態に設けられて形成されている。該凸部間には、土が入り込む空隙６０が形成されている。前記螺旋突条９の傾斜下面１１には、土が入り込む凹部１５が分散状態に設けられている。【選択図】図１１
2020183630.tif 000002
【特許請求の範囲】
【請求項１】
棒状の杭本体の周面部に螺旋突条が捩じれ状態で突設されており、回転しながら土中に埋入される回転式杭であって、土中に埋入状態にある前記杭本体の逆回転を阻止するために、前記螺旋突条の傾斜上面及び／又は傾斜下面としての螺旋突条傾斜面に、土に引っ掛かる凸部及び／又は土が入り込む凹部からなる凹凸部が形成されていることを特徴とする回転式杭。
【請求項２】
前記凹凸部は、前記傾斜上面及び／又は傾斜下面としての螺旋突条傾斜面に、土に引っ掛かる凸部が分散状態に設けられて形成されており、該凸部間に、土が入り込む空隙が形成されていることを特徴とする請求項１記載の回転式杭。
【請求項３】
前記凹凸部は、前記傾斜上面及び／又は傾斜下面としての螺旋突条傾斜面に、土が入り込む凹部が分散状態に設けられて形成されていることを特徴とする請求項１記載の回転式杭。
【請求項４】
棒状の杭本体の周面部に螺旋突条が捩じれ状態で突設されており、回転しながら土中に埋入される回転式杭であって、土中に埋入状態にある前記杭本体の逆回転を阻止するために、前記螺旋突条の傾斜上面及び／又は傾斜下面としての螺旋突条傾斜面に、土に引っ掛かる凸部からなる凹凸部が形成されており、該凹凸部は、前記螺旋突条傾斜面に、該螺旋突条傾斜面からの突出高さが異なる前記凸部が分散状態に設けられて形成されており、該凸部間に、土が入り込む空隙が形成されていることを特徴とする回転式杭。
【請求項５】
棒状の杭本体の周面部に螺旋突条が捩じれ状態で突設されており、回転しながら土中に埋入される回転式杭であって、土中に埋入状態にある前記杭本体の逆回転を阻止するために、前記螺旋突条の傾斜上面としての螺旋突条傾斜面に、土に引っ掛かる凸部からなる凹凸部が形成されており、該凹凸部は、前記螺旋突条傾斜面に、該螺旋突条傾斜面からの突出高さが異なる前記凸部が分散状態に設けられて形成されており、該凸部間に、土が入り込む空隙が形成されており、前記螺旋突条の傾斜下面は平滑面に形成されていることを特徴とする回転式杭。
【請求項６】
前記螺旋突条傾斜面に、前記突出高さが比較的大きい凸部が集合する第１の凸部領域と、前記突出高さが比較的小さい凸部が集合する第２の凸部領域が、前記螺旋突条の上下延長方向で見て交互に設けられていることを特徴とする請求項４記載の回転式杭。
【請求項７】
前記回転式杭は、前記杭本体の杭上端を打圧することによって回転しながら土中に埋入される杭であることを特徴とする請求項１〜６の何れかに記載の回転式杭。
【請求項８】
前記回転式杭は、前記杭本体の杭上端を打圧することによって回転しながら土中に埋入される杭であり、該杭本体の下端側部分に存する前記螺旋突条傾斜面には、突出量が０．１〜０．５ｍｍである凸部が設けられており、或いは、該凸部を設けることに代えて、土が入り込む凹部が設けられていることを特徴とする請求項１〜６の何れかに記載の回転式杭。
【請求項９】
前記回転式杭は、前記杭本体の杭上端を打圧することによって回転しながら土中に埋入される杭であって、前記杭本体が金属製であり、該杭本体の周面部に樹脂製の螺旋突条が捩じれ状態で突設されていることを特徴とする請求項１〜６の何れかに記載の回転式杭。
【請求項１０】
前記杭本体が異形鉄筋であり、該異形鉄筋の突部が前記樹脂製の螺旋突条に食い込んでいることを特徴とする請求項９記載の回転式杭。
【請求項１１】
前記螺旋突条傾斜面からの前記凸部の突出量は０．１〜５ｍｍであることを特徴とする請求項１、２、４、５、６又は７記載の回転式杭。
【発明の詳細な説明】
【技術分野】
【０００１】
本発明は、防草シートや遮光シート、マルチ等の各種のシート材を地面に押さえて止着するためや、テント用ペグ等の、所要の引き抜き抵抗力を発揮する杭として用いられる回転式杭に関するものである。
【背景技術】
【０００２】
防草シートや遮光シート、マルチ等の各種のシート材を地面に押さえて止着するためや、テント用ペグ等の、所要の引き抜き抵抗力を発揮する杭として用いられる回転式杭の一例として特許文献１や特許文献２が開示するものが提案されている。
【０００３】
特許文献１に係る回転式杭の一例は、前記シートを地面に押えて止着するシート材押え杭として応用されており、押え板の下面中央部に連結された棒状の杭本体の周面部に、一対の螺旋突条を対向状態に且つ同一方向の捩れ状態で突設してなるものであり、該螺旋突条の上下の面は平滑面状に形成されていた。そして、該杭本体の下端側の部分は、下端に向けて細くなる先細部とされ、杭上端をハンマーで打圧することにより、杭本体を回転させながら土中に埋入させ得るように構成されていた。最終的には、前記押え板の下面が前記シート材の上面に当接し、これによって、該シート材が地面に止着されることとなった。
【０００４】
又特許文献２に係る回転式杭は、シート状物を押える押え板の下面中央部に支持杭が下方向に突設されると共に、該支持杭の外周面に螺旋突条が該支持杭の軸線回りに設けられ、該螺旋突条の上下の面は平滑面状に形成されていた。そして前記押え板の上面の中央部分にはドライバー係合孔部が設けられており、該ドライバー係合孔部にドライバーの先端係合部を挿入し、ドライバーによって該押え杭を、木ネジのねじ込みの要領で回転させてねじ込み得るように構成されていた。最終的には、前記押え板の下面が前記シート材の表面に当接し、これによって、該シート材３が地面２に止着されることとなった。
【０００５】
しかしながら特許文献１及び特許文献２に係る杭は、何れも螺旋突条の上下の面が平滑面状に形成されていたため、該上下の面とこれに接する土との間の摩擦力が小さく、従って該杭に引き抜き力が作用したときに杭が逆回転して抜けやすい傾向にあった。
【先行技術文献】
【特許文献】
【０００６】
【特許文献１】特開２０１８−１９号公報
【特許文献２】特開２０１３−１３４１０号公報
【発明の概要】
【発明が解決しようとする課題】
【０００７】
本発明は、回転しながら土中に埋入されるように構成された前記回転式杭における従来の問題点に鑑みて開発されたものであり、杭に引き抜き力が作用したときに杭が逆回転しにくい回転式杭の提供を課題とするものである。
【課題を解決するための手段】
【０００８】
前記課題を解決するため本発明は以下の手段を採用する。
即ち本発明に係る回転式杭の第１の態様は、棒状の杭本体の周面部に螺旋突条が捩じれ状態で突設されており、回転しながら土中に埋入される回転式杭であって、土中に埋入状態にある前記杭本体の逆回転を阻止するために、前記螺旋突条の傾斜上面及び／又は傾斜下面としての螺旋突条傾斜面に、土に引っ掛かる凸部及び／又は土が入り込む凹部からなる凹凸部が形成されていることを特徴とするものである。
【０００９】
本発明に係る回転式杭の第２の態様は、前記第１の態様において、前記凹凸部は、前記傾斜上面及び／又は傾斜下面としての螺旋突条傾斜面に、土に引っ掛かる凸部が分散状態に設けられて形成されたものとなされ、該凸部間に、土が入り込む空隙が形成されていることを特徴とするものである。
【００１０】
本発明に係る回転式杭の第３の態様は、前記第１の態様において、前記凹凸部は、前記傾斜上面及び／又は傾斜下面としての螺旋突条傾斜面に、土が入り込む凹部が分散状態に設けられて形成されていることを特徴とするものである。
【００１１】
本発明に係る回転式杭の第４の態様は、棒状の杭本体の周面部に螺旋突条が捩じれ状態で突設されており、回転しながら土中に埋入される回転式杭であって、土中に埋入状態にある前記杭本体の逆回転を阻止するために、前記螺旋突条の傾斜上面及び／又は傾斜下面としての螺旋突条傾斜面に、土に引っ掛かる凸部からなる凹凸部が形成されており、該凹凸部は、前記螺旋突条傾斜面に、該螺旋突条傾斜面からの突出高さが異なる前記凸部が分散状態に設けられて形成されており、該凸部間に、土が入り込む空隙が形成されていることを特徴とするものである。
【００１２】
本発明に係る回転式杭の第５の態様は、棒状の杭本体の周面部に螺旋突条が捩じれ状態で突設されており、回転しながら土中に埋入される回転式杭であって、土中に埋入状態にある前記杭本体の逆回転を阻止するために、前記螺旋突条の傾斜上面としての螺旋突条傾斜面に、土に引っ掛かる凸部からなる凹凸部が形成されており、該凹凸部は、前記螺旋突条傾斜面に、該螺旋突条傾斜面からの突出高さが異なる前記凸部が分散状態に設けられて形成されており、該凸部間に、土が入り込む空隙が形成されており、前記螺旋突条の傾斜下面は平滑面に形成されていることを特徴とするものである。
【００１３】
本発明に係る回転式杭の第６の態様は、前記第４の態様において、前記螺旋突条傾斜面に、前記突出高さが比較的大きい凸部が集合する第１の凸部領域と、前記突出高さが比較的小さい凸部が集合する第２の凸部領域が、前記螺旋突条の上下延長方向で見て交互に設けられていることを特徴とするものである。
【００１４】
本発明に係る回転式杭の第７の態様は、前記第１〜第６の何れかの態様において、前記回転式杭が、前記杭本体の杭上端を打圧することによって回転しながら土中に埋入されるように構成されたことを特徴とするものである。
【００１５】
本発明に係る回転式杭の第８の態様は、前記第１〜第６の何れかの態様において、前記回転式杭が、前記杭本体の杭上端を打圧することによって回転しながら土中に埋入される杭であり、該杭本体の下端側部分に存する前記螺旋突条傾斜面には、突出量が０．１〜０．５ｍｍである凸部が設けられており、或いは、該凸部を設けることに代えて、土が入り込む凹部が設けられていることを特徴とするものである。
【００１６】
本発明に係る回転式杭の第９の態様は、前記第１〜第６の何れかの態様において、前記回転式杭が、前記杭本体の杭上端を打圧することによって回転しながら土中に埋入される杭であって、前記杭本体が金属製であり、該杭本体の周面部に樹脂製の螺旋突条が捩じれ状態で突設されていることを特徴とするものである。
【００１７】
本発明に係る回転式杭の第１０の態様は、前記第９の態様において、前記杭本体が異形鉄筋であり、該異形鉄筋の突部が前記樹脂製の螺旋突条に食い込んでいることを特徴とするものである。
【００１８】
本発明に係る回転式杭の第１１の態様は、前記第１、第２、第４、第５、第６又は第７の態様において、前記螺旋突条傾斜面からの前記凸部の突出量が０．１〜５ｍｍであることを特徴とするものである。
【発明の効果】
【００１９】
本発明に係る回転式杭は、棒状の杭本体の周面部に螺旋突条が捩じれ状態で突設されており、前記螺旋突条の傾斜上面及び／又は傾斜下面に、土に引っ掛かる凸部及び／又は土が入り込む凹部からなる凹凸部が形成されている。そのため、該凸部が土に引っ掛かることによって発生する摩擦力や、該凹部に入り込んで固まった土と周辺の土との間で発生する摩擦力によって、杭に引き抜き力が作用したときにも杭が逆回転しにくい。従って本発明によるときは、逆回転しにくく抜けにくい回転式杭を提供できることとなる。
【図面の簡単な説明】
【００２０】
【図１】本発明に係る杭を示す正面図である。
【図２】その使用状態説明図である。
【図３】傾斜上面に設けられた凸部の配置状態の一例を説明する部分正面図と部分断面図である。
【図４】地面に敷設されたシート材の上面の所要部位に杭下端を当接させて杭を立設させた状態を示す説明図である。
【図５】杭上端を打圧することによって突き刺し部がシート材を貫通して孔部を形成し、該突き刺し部が地面に突き刺さった状態を示す説明図である。
【図６】その後の打圧により垂直状切刃部のカットが進み、突き刺し部の全体が土中に埋入された状態を示す説明図である。
【図７】その後の打圧により垂直状切刃部がシート材を貫通した状態を示す説明図である。
【図８】その後の打圧により切り目が最大長さに達した状態を、杭本体が若干回転した状態で示す説明図である。
【図９】杭上端を打圧することによって螺旋突条により土中に形成された螺旋溝の下面と傾斜上面との間に隙間が形成された状態を示す部分断面図である。
【図１０】シート材を押えて止着した状態にある杭を引き抜く作業工程を説明する断面図である。
【図１１】傾斜上面に凸部が設けられると共に傾斜下面に凹部が設けられてなる回転式杭を示す正面図である。
【図１２】傾斜上面に設けられた凸部と傾斜下面に設けられた凹部の配置状態の一例を説明する部分正面図と部分断面図である。
【発明を実施するための形態】
【実施例１】
【００２１】
図１〜２において本発明に係る回転式杭（以下、単に杭ともいう）１は、地面２に敷設されたシート材３を上端の押え部５で押えて止着するための杭であって、上下に長い棒状の杭本体６の周面部７に螺旋突条９が捩じれ状態で突設されており、回転しながら土中に埋入される杭である。そして、土中に埋入状態にある前記杭本体６の逆回転を阻止するために、前記螺旋突条９の傾斜上面１０及び／又は傾斜下面１１としての螺旋突条傾斜面１２に、土に引っ掛かる凸部１３及び／又は土が入り込む凹部１５（図１２）からなる凹凸部１６が形成されている。
【００２２】
該回転式杭１は、本実施例においては、例えば、ポリプロピレン樹脂、ＡＢＳ樹脂やＡＥＳ樹脂、ポリカーボネート樹脂等の合成樹脂を用いて一体成形されており、前記杭本体６の前記周面部７に、その全長に亘って、一対の前記螺旋突条９，９が対向状態に且つ同一方向の捩れ状態で一連に突設されてなり、該杭本体６の下端側の部分（図１〜３に付した一点鎖線Ｌ１よりも下側の部分）１７は、杭下端１９に向けて細くなる先細部２０とされている。そして該杭本体６の、該先細部２０よりも上側の部分（図１に付した一点鎖線Ｌ１よりも上側の部分）２１においては、螺旋突条９ａ，９ａ（前記螺旋突条９，９の一部分）の、前記周面部７からの突出量が等しく設定されると共に、該杭本体６を回転させながら前記杭１を打ち込み可能となし得るように、該螺旋突条９ａ，９ａの該杭本体６の軸線Ｌ２と直角をなす平面２２に対する捩れ角度θ（図１）が６０度に設定されている。
【００２３】
そして前記先細部２０においては、図１〜２に示すように、その上端２７からその下端２８に向かうにつれて、螺旋突条９ｂ，９ｂ（前記螺旋突条９，９の一部分）の前記捩れ角度θが次第に大きくなると共に該螺旋突条９ｂ，９ｂの突出量が次第に小さくなるように構成され、該螺旋突条９ｂの下端２６においては該突出量が０ｍｍとなるように構成されている。且つ、該先細部２０において、その上端２７からその下端２８に向かうにつれて前記螺旋突条９ｂ，９ｂの肉厚が次第に薄くなるように構成されている。
【００２４】
又図１〜２に示すように、前記先細部２０に設けられている対向状態の螺旋突条９ｂ，９ｂは切刃部２９，２９を構成し、該切刃部２９，２９の下端側部分は、前記捩れ角度θが８０〜９０度を呈する垂直状切刃部３１，３１として構成されている。又該垂直状切刃部３１，３１の長さは、前記シート材３の厚さに等しい長さか、これよりも大なる長さに設定されている。そして本実施例においては、前記切刃部２９，２９は、その突出方向で見た先端部分が鋭部に構成されている。
【００２５】
前記杭１は、このように、一対の螺旋突条９，９が、前記杭本体６の前記周面部７に対向状態に且つ同一方向の捩れ状態で突設され、又該螺旋突条９，９は、その全長に亘り、その突出方向で見た先端部分が鋭部に形成されているため、杭上端３３をハンマーで打圧すると、前記一対の螺旋突条９，９は、鋭部に構成された該先端部分が土を切りながら、該螺旋突条９，９の稜線の捩れ傾斜に沿って回転しつつ土中に容易に埋入されていく。
【００２６】
以下、前記杭１の構成をより具体的に説明する。前記シート材３は、本実施例においては、厚さが例えば４ｍｍ程度である防草シート３ａとして構成されており、該杭１は、該防草シート３ａを地面２に押えて止着するものである。
【００２７】
そして前記杭本体６は、本実施例においては、径が１１ｍｍ程度の横断面円形状の棒状に構成されており、図１に示すように、その上端３５が、円板状を呈して前記シート材３を押える押え板３６としての前記押え部５の下面３７に連結されている。本実施例においては下面中央部に連結されている。
【００２８】
該押え板３６は、図１に示すように、円板状基板部３９上に、これよりも小径の第１の隆起部４０が同心に設けられ、該第１の隆起部４０上に、これよりも小径の第２の隆起部４１が同心に設けられている。該押え板３６の径（該円板状基板部３９の径）は、前記一対の螺旋突条９，９の対向縁間の最大距離Ｄ（図１に示されており、３０ｍｍ程度）よりも大きく設定され、本実施例においては６０ｍｍに設定されている。該第２の隆起部４１の上面４２が、ハンマーで打圧される前記杭上端３３となる。
【００２９】
そして該押え板３６の上面部には、前記杭１を引き抜く際にこれを逆回転させるためのハンドル４３を構成する軸体４５ (図１０）を挿通させるための挿通孔（例えば６ｍｍ径）４６が設けられている。該挿通孔４６は、本実施例においては図１０に示すように、前記第１、第２の隆起部４０，４１をその直径方向に貫通するように設けられている。
【００３０】
該杭本体６の全長は例えば２５０ｍｍに設定されると共に、前記先細部２０の下端部分は、図１〜２に示すように、下端に向かって細くなる鋭軸部４７とされている。
【００３１】
そして、該杭本体６の前記周面部７で突設されている前記一対の螺旋突条９，９の外周は、前記杭本体６の軸線Ｌ２と同心の同一円周面上にある。
【００３２】
ここで前記捩れ角度θについて説明する。前記先細部２０に設けられて前記切刃部２９，２９を構成する前記螺旋突条９ｂ、９ｂの前記捩れ角度θを７５〜９０度に設定し、前記垂直状切刃部３１，３１を構成する前記螺旋突条９ｂ１，９ｂ１の前記捩れ角度θを８０〜９０度に設定し、前記先細部２０よりも上側の部分に設けられている前記螺旋突条９ａ，９ａの前記捩れ角度θを６０〜８０度に設定しているのは、前記杭１の打ち込みによって前記切刃部２９が前記シート材３を貫通して切り目を形成でき、その後の打ち込みに伴う杭本体６の回転の際に、該シート材３が該杭本体６に巻き付かないようにするためである。
【００３３】
又、前記先細部２０の長さは５０ｍｍ程度に設定され、該先細部２０に設けられている対向状態の前記螺旋突条９，９の捩れ角度θは、本実施例においては、上端２７において７７度に設定されている。そして前記切刃部２９の前記下端側部分は、前記軸線Ｌ２と略平行する略垂直状態を呈する前記垂直状切刃部３１，３１として構成されている。特に本実施例においては、該先細部２０における前記螺旋突条９ｂ，９ｂの下端（前記垂直状切刃部３１，３１の下端）２６，２６は、前記先細部２０の下端２８の上側約１５ｍｍ程度の部位に位置させてなり、前記先細部２０に設けられている対向状態の該螺旋突条９ｂ，９ｂの下端２６，２６よりも下側の部分は突き刺し部３０とされている。該突き刺し部３０の長さは、前記シート材３の厚さ（４ｍｍ程度）よりも大なる長さに設定される。本実施例においては、該長さが１５ｍｍ程度に設定されている。
【００３４】
前記垂直状切刃部３１，３１は図１〜２に示すように、前記シート材３に切り目を入れるためのものであり、該垂直切状刃部３１，３１の長さは、地面２に敷設されるシート材３の通常の厚さが５ｍｍ以下であることに鑑み、本実施例においては８ｍｍに設定して前記杭１の汎用性を向上させている。該垂直状切刃部３１，３１の、前記周面部７からの突出量は、図１〜２に示すように、該垂直状切刃部３１，３１の上端５０からその下端５１に向けて小さく形成されており、該上端５０においては１．５ｍｍ程度に設定され、その下端５１においては０ｍｍに設定されている。
【００３５】
前記凹凸部１６は、本実施例においては図１に示すように、前記螺旋突条傾斜面１２の傾斜上面１０にのみ設けられており、傾斜下面１１には設けられていない。該傾斜下面１１は、本実施例においては平滑面状に形成されている。そして該傾斜上面１０にあっては、図３（Ａ）に示すように、該凹凸部１６は、該傾斜上面１０からの突出高さが異なる前記凸部１３が分散状態に設けられて形成されており、突出高さが比較的大きい凸部１３が集合する第１の凸部領域５５と、突出高さが比較的小さい凸部１３（比較的小さい凸部１３は、前記突出高さが小さい凸部１３を含む）が集合する第２の凸部領域５６が、前記螺旋突条９の延長方向で見て交互に設けられている。
【００３６】
図１に示されている正面視での回転式杭１にあっては、図３（Ａ）（Ｂ）に示すように、前記螺旋突条傾斜面１２の幅広である上下方向の中央部分５７が、突出高さが比較的大きい凸部１３が集合する前記第１の凸部領域５５とされており、例えば１ｍｍ〜０．８ｍｍ程度に設定されている。該中央部分５７から上方向又は下方向に向かうにつれて該凸部１３の突出高さが徐々に小さくなる。該突出高さを例示すれば、前記第１の凸部領域５５にあっては、前記凸部１３の突出高さが、１ｍｍ、０．９ｍｍ、０．８ｍｍと比較的大きく設定されており、又前記第２の凸部領域５６にあっては、前記凸部１３の突出高さが、０．７ｍｍ、０．５ｍｍ、０．４ｍｍ、０．２ｍｍと比較的小さく設定されている。
【００３７】
そして、かかる凸部１３の突出高さの大小に応じて、前記第１の凸部領域５５にあっては深さがより深い比較的大きな空隙６０が分散状態に形成されると共に、前記第２の凸部領域５６にあっては深さがより浅い小さな空隙６０が分散状態に形成されている。
【００３８】
図４〜８、図２は、地面２に敷設された防草シート３ａとしてのシート材３を前記杭１を打ち込んで地面２に押さえて止着する作業工程と、その作用を説明するものである。先ず図４に示すように、該杭１を、該防草シート３ａの上面６１の所要部位に杭下端１９を当接させた立設状態とする。この状態で、前記杭上端３３をハンマーで打圧する。これにより図５に示すように、前記突き刺し部３０が、前記防草シート３ａを貫通して孔部６２を形成し、地面２に突き刺される。この状態で前記杭１は、その下端部分が地面に支持されて、前記立設状態がより安定的に保持される。
【００３９】
その後の打圧により図６に示すように、対向状態にある切刃部２９，２９の下端側部分をなす前記垂直状切刃部３１，３１が、孔部６２の縁部６２a に、その対向側で外向きに切り目を入れるように該孔部６２の縁部をカットする。このカットは、該垂直状切刃部３１，３１の先端部分が鋭部に形成されているため容易に行われる。以後、該垂直状切刃部３１，３１によって形成された切り目６３，６３を初期切り目６３a,６３a ともいう。そして本実施例においては、該垂直状切刃部３１，３１の、前記軸線Ｌ２方向の長さが５ｍｍ程度に設定されると共に前記シート材３の厚さは４ｍｍ程度に設定されているため、該垂直状切刃部３１，３１は該シート材３の厚さの全長に亘って前記初期切り目６３a,６３a を形成できる。
【００４０】
その後の打圧によって、対向状態の該垂直状切刃部３１，３１と一連に連設されている、対向状態にある前記切刃部２９，２９が、該初期切り目６３a,６３a を更に延長させ、前記突き刺し部３０が土中に完全に埋入状態となる。その後の打圧によって、図７に示すように、対向状態にある該初期切り目６３a,６３a が前記シート材３の全厚さに亘って形成される。
【００４１】
その後の打圧によって、図８に示すように、前記先細部２０の上端２７が前記シート材３の下面６３に達すると、前記切り目６３，６３は最大長さとなる。この切り目６３，６３を最大切り目６３b,６３b ともいう。該最大切り目６３b,６３b の長さは、前記切刃部２９，２９の最大突出量に等しい長さであり、本実施例においては８ｍｍ程度の長さである。この間、該先細部２０に設けられている対向状態の螺旋突条９ｂ，９ｂは前記捩れ角度を有するために、該杭本体６は、該先細部２０が地中に打ち込まれることによって若干回転する。或いは、この部分における螺旋突条９ｂ，９ｂ（図１）の捩れ角度θが大きいために、ほとんど回転しない。
【００４２】
そして図１に示すように、前記先細部２０よりも上側の部分２１においては、対向状態にある前記螺旋突条９，９の捩れ角度が、６０〜８０度、図においては６０度に設定されているため、前記杭本体６の打ち込みに伴い該杭本体６は回転しながら土中に順次埋入されていく。従って、杭本体６を回転させるための回転工具を必要としない。又、回転工具用の電源を用意する必要もない。該打ち込みに伴う杭本体６のかかる回転は、本実施例においては、対向状態にある一対の螺旋突条９，９が、該杭本体６の周面部７に同一方向の捩れ状態で一連に突設されており、且つ該螺旋突条９，９がその全長に亘り、その突出方向で見た先端部分３２，３２が鋭部に構成されているため、容易に行われる。
【００４３】
又、前記先細部２０の上端２７よりも上側においては、前記螺旋突条９，９の前記周面部７からの突出量が一定であるため、前記杭本体６の打ち込みに伴い、前記最大切り目６３ｂ，６３ｂを拡げることなく杭本体６が回転しながら土中に埋入されていく。
【００４４】
そして最終的には図２に示すように、前記押え板３６の下面３７が前記シート材３の上面６１に当接し、これによって、該押え板３６によるシート材３の地面２に対する押えが確実に得られ、該シート材３が地面２に止着されることとなる。
【００４５】
前記のように、前記杭本体６の打ち込みに伴い、前記最大切り目６３ｂ，６３ｂを拡げることなく杭本体６が回転しながら土中に埋入されていくのであるが、かかる埋入によって、上下隣り合う螺旋突条傾斜面１２，１２間と前記杭本体６との間に土が食い込んだ状態となる。
【００４６】
ところで前記のように、前記螺旋突条傾斜面１２である傾斜上面１０に、土に引っ掛かる凸部１３が分散状態に設けられて前記凹凸部１６が形成されている。該分散状態に設けられている凸部１３は、前記傾斜上面１０からの突出高さが異なっている。ここに突出高さが異なるとは、分散状態に設けられている全ての凸部１３の高さが夫々異なっていることを意味することの他、突出高さが等しい凸部１３が複数が含まれていてもよいことを意味している。図３においては、突出高さが比較的大きい凸部１３が集合する前記第１の凸部領域５５と、突出高さが比較的小さい凸部１３が集合する前記第２の凸部領域５６が、前記螺旋突条９の上下延長方向で見て交互に設けられている。そして該凸部１３，１３間に、土が入り込む前記空隙６０が形成されている。
【００４７】
従って、土中に埋入状態にある回転式杭１に引き抜き力が作用して該杭１が逆回転しようとしたときは、前記凸部１３が土に引っ掛かることにより発生する摩擦力や、前記空隙６０に入り込んで固まった土と周辺の土との間で発生する摩擦力によって、杭が逆回転しにくい。これによって、本発明に係る回転式杭１によるときは、杭に引き抜力が作用したときにも杭が逆回転しにくい利点がある。
【００４８】
特に本実施例においては、回転式杭１が、前記杭本体６の杭上端３３を打圧することによって回転しながら土中に埋入される杭として構成されている。そのため、該打圧によって回転式杭１が回転しながら土中に埋入される際、例えば図９に示すように、該螺旋突条９によって土中に形成された螺旋溝の下面６４と、前記傾斜上面１０との間に若干の隙間（例えば１ｍｍ程度の隙間）６５が生ずる。なお該下面６４は、実際は凹凸のある面であるが図９においては説明の便宜上平滑な面として図示している。そのため本実施例においては、前記凸部１３の前記突出高さの例示から、前記凸部１３の突出高さが最大で１ｍｍであるため、該打圧によって前記杭本体６が回転しながら埋入される際において、前記凸部１３が該螺旋溝の下面６４とほとんど接触しないか、接触しても軽い接触状態である。従って、該凸部１３が該杭本体６の打ち込み回転による埋入の障害となることがほとんどない。
【００４９】
このように、打ち込み回転方式の該回転式杭１は、打ち込みの際に前記隙間６５が形成されるという現象を巧みに利用して、前記のように凸部１３が土に引っ掛かることに伴う摩擦力に起因しての杭の逆回転防止を図ることができながら、該凸部１３が前記杭本体６の回転埋入の障害となることがほとんどないようになし得るのである。
【００５０】
特に本実施例においては、前記傾斜上面１０に設ける凹凸部１６を凸部１３として構成しているため、該凸部１３の前記突出高さが大きい場合は、前記回転式杭１を土中に回転により埋入させた直後から、杭に引き抜き力が作用したことに伴う杭の逆回転を、前記凸部１３が土に引っ掛かることに伴う摩擦力によって防止できる。ところで、前記凸部１３の突出高さが小さい場合は、該凸部１３が土に引っ掛かかることに伴う摩擦力は小さい。
【００５１】
しかし前記したように、突出高さが小さい該凸部間に、土が入り込む空隙６０が形成されているため、長期的に見た場合は、該空隙６０に入り込んで固まった土（粒径の小さい土）と周辺の土との間で発生する摩擦力によっても杭の逆回転を防止する効果が得られる。該長期的効果は、深さの大なる空隙６０に入り込んで固まった土（土の粒径の大小を問わない）と周辺の土との間で発生する摩擦力によっても同様に得られる。
【００５２】
なお、前記のようにして地面に敷設されたシート材３を貼り替える際や、災害現場等において一時的に敷設されたブルーシート等のシート材を撤去する際は、前記回転式杭１に設けられている前記挿通孔４６に、図１０に示すように軸体４５を挿入し、前記回転式杭１を逆方向に回転させる。この回転操作は、最初はある程度の回転力を必要とするがその後は、該回転式杭１を、楽に逆回転させて容易に引き抜くことができる。
【実施例２】
【００５３】
図１１〜１２は、本発明に係る回転式杭１の他の実施例を示すものであり、前記傾斜上面１０に前記凸部１３からなる凹凸部１６が設けられてなる、実施例１に係る回転式杭１において、前記傾斜下面１１に、土が入り込む凹部１５からなる凹凸部１６が設けられている。該凹凸部１６は、本実施例においては例えば図１２（Ｂ）に示すように、径と深さが異なる凹部１５が分散状態に設けられて形成されている。特に本実施例においては図１２に示すように、該凹凸部１６は、径が比較的大きく且つ比較的深い凹部１５が集合する第１の凹部領域６６と、径が比較的小さく且つ比較的浅い凹部１５が集合する第２の凹部領域６７が、前記螺旋突条９の上下延長方向で見て交互に設けられている。ここに、径が比較的小さい凹部１５には、径が小さい凹部も含まれ、又、比較的浅い凹部１５には、深さが浅い凹部も含まれる。
【００５４】
図１１に示されている正面視での回転式杭１にあっては、図１２（Ａ）（Ｂ）に示すように、前記傾斜下面１１の、幅広である上下方向の中央部分５７（図１２（Ａ）においての中央部分）が前記第１の凹部領域６６とされており、該中央部分５７よりも上側の部分及び下側の部分が前記第２の凹部領域６７とされている。本実施例においては、前記第１の凹部領域６６にある凹部１５の径は、例えば１ｍｍ〜０．８ｍｍ程度に設定されると共に、その深さは１ｍｍ〜０．８ｍｍ程度に設定されている。又、前記第２の凹部領域６７にある凹部１５の径は、例えば０．８ｍｍ〜０．２ｍｍ程度でその深さは、例えば０．８ｍｍ〜０．２ｍｍ程度に設定されており、前記中央部分５７から上方向又は下方向に向かうにつれて該凹部１５の径と深さが徐々に小さくなるように構成されている。
【００５５】
本実施例に係る回転式杭１によるときは、前記杭本体６の杭上端３３（図１）を打圧することによって該回転式杭１を回転させながら土中に埋入させる際、該凹部１５が該埋入の障害となることはない。そして該回転式杭１が土中に所要に埋入された状態においては、長期的に見た場合、前記凹部１５に入り込んで固まった土と周辺の土との間で発生する摩擦力によって、杭１の逆回転を防止できる効果が得られる。なお、サイズの大きい凹部１５には、粒径の大きい土も粒径の小さい土も入り込むことができる一方、サイズの小さい凹部１５には、粒径の小さい土が入り込むことができる。
【実施例３】
【００５６】
本発明は、前記実施例で示したものに限定されるものでは決してなく、「特許請求の範囲」の記載内で種々の設計変更が可能であることはいうまでもない。その一例を挙げれば次のようである。
【００５７】
（１）本発明に係る回転式杭１は、前記杭本体６の杭上端３３を打圧することによって回転させながら土中に埋入させ得る打圧回転式の杭に応用できることの他、木ネジのねじ込みの要領で回転させてねじ込むことができる回転式の杭に応用することもできる。
【００５８】
（２）前記傾斜下面１１に前記凹凸部１６を設ける場合、該回転式杭１を回転させながら土中に円滑に埋入させるためには、前記凹凸部１６は、実施例２で示すように凹部１５として構成するのが好ましいが、該埋入にそれ程障害とならない限り、該凹凸部１６を凸部１３からなるものとして構成することもできる。この場合は、凸部間に、土が入り込む空隙６０を形成できるため、長期的に見た場合は、前記と同様にして所要の摩擦力が発揮されることとなる。この場合は、凸部１３の個数を少なくして凹部１５の個数を多くするのが好ましい。
【００５９】
（３）前記凹凸部１６を前記凹部１５からなるものとして構成する場合、該凹部１５は、前記螺旋突条９の強度を損なうことがないように留意して、例えば1 ｍｍ程度の径を有する貫通孔として構成されることもある。
【００６０】
（４）前記凹凸部１６を構成する前記凸部１３の形態及びその突出高さ、又、前記凹部１５の形態及びその径と深さは、該回転式杭１を回転させながら土中に埋入させる際に、該凸部１３が該埋入の障害とならず、且つ、杭に引き抜き力が作用したときに杭が逆回転しにくくなし得る限り、各種に構成できる。該凸部１３は、前記したものの他、例えば、直線状や湾曲線状、中央部が窪んだ突出部等の形態を有するものとして構成することもできる。又、前記凹凸部１６を凸部１３からなるものとして構成する場合、前記螺旋突条傾斜面１２からの該凸部１３の突出量は例えば0 ．1 〜５ｍｍに設定できる。
【００６１】
（５）土中の土は、土中深さが深いほど締まった状態にある。そのため、打ち込み回転方式の前記回転式杭にあっては、打ち込み完了に近い状態にある杭の下端部分において、前記螺旋突条９によって土中に形成された螺旋溝の下面６４（図９）と前記傾斜上面１０との間に生ずる隙間６５（図９）が、土中深さが浅い場合に比して小さい。そのため、かかる打ち込み完了に近い状態においても前記凸部１３が該螺旋溝の下面６４とほとんど接触しないか、接触しても軽い接触状態となるようにして該凸部１３が該杭本体６の打ち込み回転による埋入の障害とならないようにするのがよい。そのために、該杭本体６の下端側部分に存する前記螺旋突条傾斜面１２に設ける前記凸部１３の突出量は０．１〜０．５ｍｍと小さくするのがよい。或いは、該凸部１３を設けることに代えて、土が入り込む前記凹部１５を設けるのがよい。
（６）前記凹凸部１６は、前記凸部１３のみからなるものと、前記凹部１５のみからなるものと、これらの組み合わせからなるものを含む
【００６２】
（７）本発明に係る回転式杭１は樹脂製の他、鉄製等の金属製とされることもある。
【００６３】
（８）前記螺旋突条９は、本発明の目的を達成できるならば、前記杭本体６の全長に亘って設けなくてもよい。
【００６４】
（９）前記杭本体６の全長は、例えば１５０ｍｍ〜１０００ｍｍに設定できる。特に、該杭本体６の全長が５００ｍｍ〜１０００ｍｍに設定される長さの長い前記打圧回転式の杭にあっては、杭本体６の打圧時の強度を向上させるために、該杭本体６が鉄製等の金属製とされることもある。そしてこの場合は、該杭本体６の周面部に、例えばポリカーボネート樹脂製の螺旋突条９が捩じれ状態で突設される。該杭本体６を特に、異形鉄筋等の、表面に突部を有する金属製のものとして構成する場合は、該螺旋突条９を該突部に食い込ませることができるため、該螺旋突条９が該杭本体６から剥離するのを効果的に防止できる。該杭本体６は、かかる突部を有さないものとして構成されることもある。
【００６５】
（10）本発明に係る杭は、シート材を地面等に押えて止着するために使用できることの他、テント等の屋外設置物、その他の各種設置物の浮き上がりを防止するために使用することもできる。
【符号の説明】
【００６６】
１  回転式杭
２  地面
３  シート材
５  押え部
６  杭本体
７  周面部
９  螺旋突条
１０  傾斜上面
１１  傾斜下面
１２  螺旋突条傾斜面
１３  凸部
１５  凹部
１６  凹凸部
１９  杭下部
２０  先細部
２９  切刃部
３３  杭上端
３６  押え板
６０  空隙
【図１】
2020183630.tif 000003
【図２】
2020183630.tif 000004
【図３】
2020183630.tif 000005
【図４】
2020183630.tif 000006
【図５】
2020183630.tif 000007
【図６】
2020183630.tif 000008
【図７】
2020183630.tif 000009
【図８】
2020183630.tif 000010
【図９】
2020183630.tif 000011
【図１０】
2020183630.tif 000012
【図１１】
2020183630.tif 000013
【図１２】
2020183630.tif 000014